(57)【要約】【課題】ペンスタンドに照明付筆記具やバーコードリーダペン等を挿着した際に、光が照射された状態で挿着されているかどうかを判別可能なペンスタンドを提供する。【解決手段】筆記具等を保持収納する収納部の底部の先方のスタンド本体内部に、前記収納部に連通した空間部を設ける。該空間部に、軸筒先端部から軸筒の軸心に沿った前方方向に光を照射したペンを装着した際に、軸筒先端部から照射された照射光線を反射する反射体を収納する。少なくとも反射体の一部に照射光線が照射されるように配置する。スタンド本体に、光が照射された反射体の部分がスタンド本体の外部から目視できる窓部を設ける。【選択図】図２
2006175752.tif 000002
【特許請求の範囲】
【請求項１】
ペンを保持するための差込口と収納部を有したスタンド本体からなるペンスタンドにおいて、収納部の底部の先方のスタンド本体内部に、前記収納部に連通した空間部を設け、該空間部に、軸筒先端部から軸筒の軸心に沿った前方方向に光を照射したペンを装着した際に、軸筒先端部から照射された照射光線が直に、少なくとも反射体の一部に照射されるように反射体を配置して収納し、少なくとも反射体の光が照射された部分がスタンド本体の外部から目視できる窓部を設けたことを特徴とする、ペンスタンド。
【請求項２】
前記ペンスタンド本体に、複数の差込口と収納部を設け、各々の収納部の底部の先方のスタンド本体内部に、各々の収納部に連通した１つの空間部を設けたことを特徴とする、請求項１に記載のペンスタンド。
【請求項３】
前記ペンスタンド本体に、複数の前記差込口と収納部を設け、各々の収納部の底部の先方のスタンド本体内部に、各々の収納部に連通した各々の空間部を設けたことを特徴とする、請求項１に記載のペンスタンド。
【請求項４】
前記光反射体が多数の粒体で構成されたことを特徴とする、請求項１、２又は３に記載のペンスタンド。
【発明の詳細な説明】
【技術分野】
【０００１】
本発明はペンスタンドに関し、特に、軸筒の先端部に、光を照射する照明部を設けた筆記具やバーコードリーダペン等のためのペンスタンドに関する。
【背景技術】
【０００２】
筆記具等においては、転がるなどして紛失しないように、また使用する際に直ぐ把持できるように、使用しないときは立てた状態で保持可能なペンスタンドに挿着することがある。前記ペンスタンドについては種々のものがあるが、その基本構成はペンを挿入するための差込口とペンを収納する収納部を有したスタンド本体で構成されており、周知である。
【０００３】
ペンスタンドに挿着するものとして、軸筒の先端部に発光ダイオードからなる照明部を設けて筆記時の筆記先端部を照射する照明付筆記具や、軸筒の先端部からの光の照射によりバーコードを読み取るバーコードリーダペン等もある。前記照明付筆記具やバーコードリーダペンは、使用時は軸筒の先端部から光を照射しており、使用が終われば電源等のスイッチを切って光の照射を止める。しかし、ペンスタンドに挿着した際に、電源等のスイッチを切るのを忘れて、気づかずに光が照射された状態で挿着してそのまま放置してしまい、電源としての電池を消耗させてしまうということがままある。
【０００４】
本発明者は、こうした問題を解消するために、ペンスタンドに照明付筆記具やバーコードリーダペン等を挿着した際に、軸筒の先端部から光が照射された状態であることを認識できるようなペンスタンドを提供することを思い立った。
【０００５】
前記課題を達成するために、ペンスタンドのスタンド本体を透明な樹脂で形成すれば、外側から軸筒の先端部が光っていることが目視でき、電源が入った状態で保持されていることを認識できる。こうした、スタンド本体を透明な樹脂で形成し、かつ付加価値を付けるためにデザイン性を考慮し装飾効果もたらしたペンスタンドが、特開２００１−１８０１８４号公報により開示されている。具体的な技術として、ペンを保持するための差込口と収納部を有した中空状のスタンド本体を透明又は半透明に形成し、中空状のスタンド本体の内部に、スタンド本体の重心を変位可能に可動的な、透明、半透明又は着色した複数のガラス片等の粒体を収容するというものである。前記収納部の底部は貫通した連通孔を形成してある。
【０００６】
ところで、バーコードリーダペンにおける光の照射は、その機能上、レンズにより拡散されずに照射されるので、照射光線の径は狭幅径である。したがって、前記のようなペンスタンドの構造では、バーコードリーダペンを光が照射された状態でペンスタンドに挿着した際に、照射光線がスタンド本体の底面部の狭幅径の部分しか照射しないので、ペンスタンドの外部から、バーコードリーダペンが光が照射された状態であるのかどうか、判別しにくい。
【特許文献１】特開２００１−１８０１８４号公報
【発明の開示】
【発明が解決しようとする課題】
【０００７】
本発明の目的は、ペンスタンドに軸筒の先端部から光を照射する特にバーコードリーダペン等において、光が照射された状態でペンスタンドに挿着した際に、バーコードリーダペン等が光が照射された状態で挿着されているかどうかを判別しやすいように、照射光線によるスタンド本体にイルミネーション効果を持たせることで、光が照射された状態であることを認識可能なペンスタンドを提供するものである。
【課題を解決するための手段】
【０００８】
本発明は、
「１．ペンを保持するための差込口と収納部を有したスタンド本体からなるペンスタンドにおいて、収納部の底部の先方のスタンド本体内部に、前記収納部に連通した空間部を設け、該空間部に、軸筒先端部から軸筒の軸心に沿った前方方向に光を照射したペンを装着した際に、軸筒先端部から照射された照射光線が直に、少なくとも反射体の一部に照射されるように反射体を配置して収納し、少なくとも反射体の光が照射された部分がスタンド本体の外部から目視できる窓部を設けたことを特徴とする、ペンスタンド。
２．前記ペンスタンド本体に、複数の差込口と収納部を設け、各々の収納部の底部の先方のスタンド本体内部に、各々の収納部に連通した１つの空間部を設けたことを特徴とする、前記１項に記載のペンスタンド。
３．前記ペンスタンド本体に、複数の前記差込口と収納部を設け、各々の収納部の底部の先方のスタンド本体内部に、各々の収納部に連通した各々の空間部を設けたことを特徴とする、前記１項に記載のペンスタンド。
４．前記光反射体が多数の粒体で構成されたことを特徴とする、前記１項、２項又は３項に記載のペンスタンド。」
である。
【発明の効果】
【０００９】
本発明のペンスタンドは以上のような構造なので、軸筒の先端部から光を照射可能な照明付筆記具や特にバーコードリーダペン等を差込口から挿入して収納部に挿着した際に、光が照射された状態の場合には、スタンド本体に形成した空間部に収納した反射体の表面が前記照射光線により照射され、その照射光線が反射し周りを明るくするので、前記照明付筆記具やバーコードリーダペン等が光が照射された状態であることを、ペンスタンドの外部から確実に判別することができる。また、反射体による照射光線の反射によるイルミネーション効果が得られ、美的効果を有するペンスタンドを得ることができる。
【００１０】
前記反射体を、多数の粒体で構成することにより、前記照明付筆記具やバーコードリーダペン等から照射された光が反射体により乱反射して前記収納部の内部が照らされるので、よりいっそうの美的効果を有するペンスタンドを得ることができる。
【発明を実施するための最良の形態】
【００１１】
本発明におけるペンスタンドは、ペンを保持するスタンド本体の収納部の底部の先方のスタンド本体内部に、前記底部に連通した空間部を設け、該空間部に反射体を収納する。軸筒先端部から軸筒の軸心に沿った前方方向に光を照射したペンを前記収納部に挿入した際に、軸筒先端部から照射された照射光線が直に、反射体に照射されるように配置して収納する。かつ、反射体が照射光線によって照射された部分がペンスタンドの外部から目視できるように、スタンド本体の側面に窓部を設ける。窓部は、スタンド本体を透明又は半透明状の合成樹脂やガラス等の材質で形成することにより、全体を窓部としても良いし、あるいは反射体によりる光の乱反射が目視できる部分のみを透明又は半透明状に形成し、他の部分を有彩色で形成し、前記透明又は半透明状部分を窓部としても良い。また、スタンド本体の側面に、切欠部を形成してその部分を窓部としても良い。
【００１２】
反射体については、特に限定されるものではないが、光が照射されて広範囲に乱反射するような材質・形状のものが良い。材質的にはガラスや表面を鏡面とした金属等が挙げられる。形状的も特に限定されず、一つの構成体で形成されたものでも良いし、複数の構成体で形成されたものでも良い。前者の具体例としては、ガラス製や金属製の球体状のものが挙げられる。この場合、表面を多面状のミラーボール状とすると乱反射が起こりやすく好ましい。後者の具体例としては、複数のアルミ片、マイカ片やパール片等の光沢を有する粒体で構成されたものが挙げられる。前記粒体は、空間部に直接に収納しても良いし、あるいは空間部内に液状物質を充填し、該液状物質に前記粒体を浮遊させても良い。
【実施例】
【００１３】
本発明の実施例を図面を用いて説明する。便宜上、バーコードリーダペンを収納保持するスタンドペンとして説明するが、これに限定されるものではない。同じ部材、同じ箇所を示すものには同じ符号を付してある。
【００１４】
図１〜図３に示す第１の実施例のペンスタンド１は、全体が透明の合成樹脂からなるスタンド本体２と、表面が鏡面状の金属製の球体である反射体３とで構成されている。
図１に示すように、スタンド本体２は、円柱状の形状で、該円柱状の軸心に対して斜めに横断した面を底面４とした、机等の載置面（図示せず）に載置した際に、スタンド本体２の軸心が前記載置面に対して傾斜する形状である。底面４に対向した上面５は、平坦面で、前記底面４を机等の載置面に載置した際に載置面に対して傾斜した形状に形成してある。
【００１５】
前記上面５には、図３に示すように、バーコードリーダペンＡの軸筒１００の先端部１００ａを挿入する差込口６が設けてあり、スタンド本体２内部には、前記差込口６に連通した前記軸筒１００の先端部１００ａを収納する収納部７を設けてある。該収納部７の底部７ａの先方のスタンド本体２内部には、収納部７の軸心の線上に軸心を有する、収納部７の底部７ａに連通しスタンド本体２の底面４に開口した空間部８を形成してある。
【００１６】
空間部８は球体の反射体３が挿入可能な形状であり、開口部８ａと反対の前記収納部７側の先端面８ｂは反射体３の球面と同一形状の半球面状に形成してある。空間部８には反射体３を収納してあるが、反射体３は、スタンド本体２の射出成形の際のインサート成形により収納してあり、反射体３が開口部８ａより脱落しないように、空間部内壁面に形成した微小突部（図示せず）により反射体３を保持する構造となっている。
【００１７】
前記したような構造なので、本実施例のペンスタンドに、軸筒先端部から軸筒の軸心に沿った前方方向に光を照射したペンを装着した際には、軸筒先端部から照射された照射光線がかならず反射体３に照射され、スタンド本体２が透明の合成樹脂で形成してあるので、軸筒先端部から照射された照射光線が反射体３に照射された部分とその周り部分が目視できる。この場合、スタンド本体２の周側面９を窓部１０としてある。
【００１８】
図４に示す第２の実施例のペンスタンド２１は、スタンド本体２２の上面２３を半球面状とし、軸筒先端から光が照射されたペン（図示せず）を装着した際に、第１の実施例における反射体３と同様に形成した反射体３に光が照射され、光った反射体３の部分が目視できるスタンド本体２２の周側面２４のＬの範囲の部分を、透明の合成樹脂で成形し、その他の有彩色の合成樹脂で成形した以外は、実施例１のペンスタンド１と同様にして形成してある。
【００１９】
本実施例のペンスタンド２１は、前記実施例のスタンド本体２と同様に、軸筒先端部から軸筒の軸心に沿った前方方向に光を照射したペン（図示せず）を装着した際には、軸筒先端部から照射された照射光線がかならず反射体３に照射される。本実施例のスタンド本体２２においては、周側面２４のＬの範囲の部分を窓部２５としてある。
【００２０】
図５に示す第３の実施例のペンスタンド３１は、スタンド本体３２が蒲鉾形をした形状で、上面３３に、第１の実施例のスタンド本体２と同様にして形成した差込口６及び収納部７が一直線上に３つ配列して形成してある。各収納部７の底部７ａの先方のスタンド本体の内部には、第１の実施例のスタンド本体２と同様にして設けた、各々の収納部７の軸心の線上に軸心を有する、収納部７の底部７ａに連通しスタンド本体３２の底面３４に開口した空間部８を形成してある。各空間部８には、第１の実施例における反射体３と同様の反射体３を、第１の実施例のスタンド本体２と同様にして反射体３を配置して収納してある。
【００２１】
本実施例のペンスタンド３１は、第１の実施例のスタンド本体２と同様に、軸筒先端部から軸筒の軸心に沿った前方方向に光を照射したペン（図示せず）を装着した際には、軸筒先端部から照射された照射光線がかならず反射体３に照射される。本実施例のスタンド本体３２においては、周側面３５を窓部３６としてある。
【００２２】
図６に示す第４の実施例のペンスタンド４１は、スタンド本体４２が第１の実施例のスタンド本体２と同様の形状に形成してあり、スタンド本体４２の上面４３には第１の実施例のスタンド本体２と同様の差込口６が、スタンド本体４２内部には第１の実施例のスタンド本体２と同様の収納部７が設けてある。該収納部７の底部７ａの先方のスタンド本体４２内部には、収納部７の底部７ａに連通しスタンド本体４２の底面４４に開口した、底面４４に対して垂直に延びた空間部４５を形成してある。該空間部４５は、開口部４５ａと反対の前記収納部７側の先端面４５ｂは半球面状に形成してある。
【００２３】
空間部４５の開口部４５ａには蓋体４６が螺着して閉塞可能としてあり、空間部４５に粒状のガラス片４７からなる反射体４８を充填して、空間部４５の開口部４５ａを蓋体４６で螺着して閉塞してある。前記ガラス片４７の一部は、スタンド本体４２に形成された収納部７の軸心上に常に存在するように、空間部４５内に収納されている。
【００２４】
本実施例のペンスタンド４１は、第１の実施例のスタンド本体２と同様に、軸筒先端部から軸筒の軸心に沿った前方方向に光を照射したペン（図示せず）を装着した際には、軸筒先端部から照射された照射光線がかならず反射体４８である一部のガラス片４７に照射される。本実施例のスタンド本体３２においては、第１の実施例のスタンド本体２と同様に、周側面４９を窓部５０としてある。
【００２５】
図７に示す第５の実施例のペンスタンド５１は、スタンド本体５２が第１の実施例のスタンド本体２と同様の形状に形成してある。スタンド本体５２の上面５３には第１の実施例のスタンド本体２と同様の差込口６が、スタンド本体５２内部には第１の実施例のスタンド本体２と同様の収納部７が設けてある。該収納部７の底部７ａの先方のスタンド本体５２内部には、収納部７の軸心の線上に軸心を有する、収納部７の底部７ａに連通しスタンド本体５２の底面５４に開口した、実施例１のスタンド本体２における空間部８と同様の空間部８を形成してある。
【００２６】
空間部８の開口部８ａには、第４の実施例のスタンド本体４２と同様に蓋体５５が螺着して閉塞可能としてあり、空間部８に粒状のガラス片４７からなる反射体４８を収納して、空間部８の開口部８ａを蓋体５５で螺着して閉塞してある。前記ガラス片４７の一部は、スタンド本体５２に形成された収納部７の軸心上に常に存在するように、空間部８内に収納されている。
【００２７】
スタンド本体５２は、第２の実施例のスタンド本体２２と同様に、軸筒先端部から軸筒の軸心に沿った前方方向に光を照射したペン（図示せず）を装着した際に、軸筒先端部から照射された照射光線がかならず反射体４８である一部のガラス片４７に照射されるが、光が照射された反射体４８であるガラス片４７が光った部分が目視できるスタンド本体５２の周側面５６のＮの範囲の部分を、透明の合成樹脂で成形し、その他の有彩色の合成樹脂で成形してある。本実施例のペンスタンド５１では、この周側面５６のＮの範囲の部分を窓部５７としてある。
【００２８】
図８に示す第６の実施例のペンスタンド６１は、スタンド本体６２が第３の実施例のスタンド本体３２と同様の蒲鉾形をした形状で、第３の実施例のスタンド本体３２と同様に上面６３に、差込口６及び収納部７が一直線上に３つ配列して形成してある。各収納部７の底部７ａの先方のスタンド本体６２の内部には、各収納部７の底部７ａに連通しスタンド本体６２の底面６４に開口した、１つの大きな空間部６５を設けてある。
【００２９】
空間部６５の開口部６５ａには、第４の実施例のスタンド本体４２と同様に蓋体６６を圧入することで閉塞可能としてあり、空間部８に粒状のガラス片４７からなる反射体４８を収納して、空間部８の開口部８ａを蓋体６６で閉塞してある。前記ガラス片４７の一部は、スタンド本体６２に形成された収納部７の軸心上に常に存在するように、空間部８内に収納されている。
【００３０】
スタンド本体６２は、第２の実施例のスタンド本体２２と同様に、軸筒先端部から軸筒の軸心に沿った前方方向に光を照射したペン（図示せず）を装着した際に、軸筒先端部から照射された照射光線がかならず反射体４８である一部のガラス片４７に照射される。本実施例のスタンド本体６２においては、第１の実施例のスタンド本体２と同様に、周側面６７を窓部６８としてある。
【産業上の利用可能性】
【００３１】
筆記具等のペンを立てた状態で保持するためのペンスタンドとして利用可能であり、また、バーコードリーダペンや棒状の工具類のスタンドとしても利用することができる。特に、軸筒の先端部から光を照射可能なものを保持した際に、軸筒の先端部から光が照射された状態、すなわち電源が入った状態で保持されていることが確認できるので、照明付筆記具やバーコードリーダペン等のような軸筒の先端部から光が照射可能なものを、立てた状態で保持するためのスタンドとして利用できる。
【図面の簡単な説明】
【００３２】
【図１】本発明の第１の実施例を示す、ペンスタンドの斜視図である。
【図２】第１の実施例のペンスタンドの縦断面図である。
【図３】第１の実施例のペンスタンドの使用状態を示す図である。
【図４】本発明の第２の実施例を示す、ペンスタンドの縦断面図である。
【図５】本発明の第３の実施例を示す、ペンスタンドの正面図である。
【図６】本発明の第４の実施例を示す、ペンスタンドの縦断面図である。
【図７】本発明の第５の実施例を示す、ペンスタンドの縦断面図である。
【図８】本発明の第６の実施例を示す、ペンスタンドの正面図である。
【符号の説明】
【００３３】
１、２１、３１、４１、５１、６１    ペンスタンド
２、２２、３２、４２、５２、６２    スタンド本体
３、４８    反射体
６    差込口
７    収納部
８、４５、６５    空間部
１０、２５、３６、５０、５７、６８    窓部
Ａ    バーコードリーダペン
【図１】
2006175752.tif 000003
【図２】
2006175752.tif 000004
【図３】
2006175752.tif 000005
【図４】
2006175752.tif 000006
【図５】
2006175752.tif 000007
【図６】
2006175752.tif 000008
【図７】
2006175752.tif 000009
【図８】
2006175752.tif 000010